(57)【要約】      （修正有）【課題】移動局装置が複数の周波数帯域のセルを用いて基地局装置と無線接続している場合に、設定された測定設定情報を再利用可能な通信システム及び測定設定管理方法を提供する。【解決手段】基地局装置が移動局装置に対して複数の周波数帯域のセルの測定に必要な測定設定情報を周波数帯域毎に設定し、移動局装置が前記複数の周波数帯域のセルを同時に用いて基地局装置と接続して通信を行なう通信システムであって、基地局装置２は、第１のセルの周波数帯域または第２のセルの周波数帯域の変更を指定するハンドオーバー指示メッセージＳ５を移動局装置１に送信し、移動局装置１は、ハンドオーバー後に前記第１のセルまたは前記第２のセルとして利用される周波数帯域に設定されていた測定設定情報Ｓ１を、ハンドオーバー前の前記第１のセルの周波数帯域または前記第２のセルの周波数帯域に対して利用するか否かを判断する測定設定管理方法を用いる。【選択図】図１２
2012004767.tif 000002
【特許請求の範囲】
【請求項１】
基地局装置が移動局装置に対して複数の周波数帯域のセルの測定に必要な測定設定情報を周波数帯域毎に設定し、前記移動局装置が前記複数の周波数帯域のセルを同時に用いて前記基地局装置と接続して通信を行なう通信システムであって、
前記セルの種別は、常に活性化される第１のセルと、不活性化が可能な第２のセルと、それ以外の第３のセルとに分類され、
前記基地局装置は、
前記移動局装置に対し、前記第１のセルの周波数帯域または前記第２のセルの周波数帯域の変更を指定するハンドオーバーの実行を決定し、前記ハンドオーバーの実行を指示するハンドオーバー指示メッセージを前記移動局装置に送信し、
前記移動局装置は、
前記ハンドオーバー指示メッセージを受信し、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するか否かを判断する測定設定管理方法を用いることを特徴とする通信システム。
【請求項２】
前記移動局装置は、
ハンドオーバー後に前記第１のセルまたは前記第２のセルとして利用される周波数帯域に測定設定情報が設定されている場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用し、
ハンドオーバー後に前記第１のセルまたは前記第２のセルとして利用される周波数帯域に測定設定情報が設定されていない場合は、
ハンドオーバー前の前記第１のセルの周波数帯域または前記第２のセルの周波数帯域に設定されていた測定設定情報を削除する測定設定管理方法を用いることを特徴とする請求項１に記載の通信システム。
【請求項３】
前記移動局装置は、
前記ハンドオーバー指示メッセージに測定設定情報をターゲットセルの周波数帯域に対して交換可能であることを示す識別子が設定されている場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用し、
前記ハンドオーバー指示メッセージに測定設定情報をターゲットセルの周波数帯域に対して交換可能であることを示す識別子が設定されていない場合は、
ハンドオーバー前の前記第１のセルの周波数帯域または前記第２のセルの周波数帯域に設定されていた測定設定情報を削除する測定設定管理方法を用いることを特徴とする請求項１に記載の通信システム。
【請求項４】
前記移動局装置は、
前記ハンドオーバー指示メッセージにターゲットセルの周波数帯域に設定される測定設定情報をソースセルの周波数帯域に対して交換不可能であることを示す識別子が設定されている場合は、
ハンドオーバー前の前記第１のセルの周波数帯域または前記第２のセルの周波数帯域に設定されていた測定設定情報を削除し、
前記ハンドオーバー指示メッセージにターゲットセルの周波数帯域に設定される測定設定情報をソースセルの周波数帯域に対して交換不可能であることを示す識別子が設定されていない場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用する測定設定管理方法を用いることを特徴とする請求項１に記載の通信システム。
【請求項５】
前記識別子は、測定ＩＤ、測定対象周波数ＩＤ、セルＩＤまたはコンポーネントキャリア識別子であることを特徴とする請求項３または請求項４に記載の通信システム。
【請求項６】
前記識別子は、周波数帯域毎に複数設定されることを特徴とする請求項５に記載の通信システム。
【請求項７】
基地局装置が移動局装置に対して複数の周波数帯域のセルの測定に必要な測定設定情報を周波数帯域毎に設定し、前記移動局装置が前記複数の周波数帯域のセルを同時に用いて前記基地局装置と接続して通信を行なう通信システムにおける移動局装置であって、
前記セルの種別は、常に活性化される第１のセルと、不活性化が可能な第２のセルと、それ以外の第３のセルとに分類され、
前記基地局装置から前記第１のセルの周波数帯域または前記第２のセルの周波数帯域の変更を指定するハンドオーバーの実行を決定し、前記ハンドオーバーの実行を指示するハンドオーバー指示メッセージを受信し、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するか否かを判断する測定設定管理方法を用いることを特徴とする移動局装置。
【請求項８】
前記移動局装置は、
ハンドオーバー後に前記第１のセルまたは前記第２のセルとして利用される周波数帯域に測定設定情報が設定されている場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用し、
ハンドオーバー後に前記第１のセルまたは前記第２のセルとして利用される周波数帯域に測定設定情報が設定されていない場合は、
ハンドオーバー前の前記第１のセルの周波数帯域または前記第２のセルの周波数帯域に設定されていた測定設定情報を削除する測定設定管理方法を用いることを特徴とする請求項７に記載の移動局装置。
【請求項９】
前記移動局装置は、
前記ハンドオーバー指示メッセージに測定設定情報をターゲットセルの周波数帯域に対して交換可能であることを示す識別子が設定されている場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用し、
前記ハンドオーバー指示メッセージに測定設定情報をターゲットセルの周波数帯域に対して交換可能であることを示す識別子が設定されていない場合は、
ハンドオーバー前の前記第１のセルの周波数帯域または前記第２のセルの周波数帯域に設定されていた測定設定情報を削除する測定設定管理方法を用いることを特徴とする請求項７に記載の移動局装置。
【請求項１０】
前記移動局装置は、
前記ハンドオーバー指示メッセージにターゲットセルの周波数帯域に設定される測定設定情報をソースセルの周波数帯域に対して交換不可能であることを示す識別子が設定されている場合は、
ハンドオーバー前の前記第１のセルの周波数帯域または前記第２のセルの周波数帯域に設定されていた測定設定情報を削除し、
前記ハンドオーバー指示メッセージにターゲットセルの周波数帯域に設定される測定設定情報をソースセルの周波数帯域に対して交換不可能であることを示す識別子が設定されていない場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用する測定設定管理方法を用いることを特徴とする請求項７に記載の移動局装置。
【請求項１１】
基地局装置が移動局装置に対して複数の周波数帯域のセルの測定に必要な測定設定情報を周波数帯域毎に設定し、前記移動局装置が前記複数の周波数帯域のセルを同時に用いて前記基地局装置と接続して通信を行なう通信システムにおける基地局装置であって、
前記セルの種別は、常に活性化される第１のセルと、不活性化が可能な第２のセルと、それ以外の第３のセルとに分類され、
前記移動局装置に対し、前記第１のセルの周波数帯域または前記第２のセルの周波数帯域の変更を指定するハンドオーバーの実行を決定し、前記ハンドオーバーの実行を指示するハンドオーバー指示メッセージを前記移動局装置に送信し、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するか否かを前記移動局装置に判断させる測定設定管理方法を用いることを特徴とする基地局装置。
【請求項１２】
基地局装置が移動局装置に対して複数の周波数帯域のセルの測定に必要な測定設定情報を周波数帯域毎に設定し、前記移動局装置が前記複数の周波数帯域のセルを同時に用いて前記基地局装置と接続して通信を行なう通信システムにおける移動局装置の測定設定管理方法であって、
前記セルの種別は、常に活性化される第１のセルと、不活性化が可能な第２のセルと、それ以外の第３のセルとに分類され、
前記移動局装置は、
前記基地局装置から前記第１のセルの周波数帯域または前記第２のセルの周波数帯域の変更を指定するハンドオーバーの実行を決定するステップと、前記ハンドオーバーの実行を指示するハンドオーバー指示メッセージを受信するステップと、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するか否かを判断するステップと、を備えることを特徴とする測定設定管理方法。
【請求項１３】
前記測定管理方法は、
ハンドオーバー後に前記第１のセルまたは前記第２のセルとして利用される周波数帯域に測定設定情報が設定されている場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するステップと、
ハンドオーバー後に前記第１のセルまたは前記第２のセルとして利用される周波数帯域に測定設定情報が設定されていない場合は、
ハンドオーバー前の前記第１のセルの周波数帯域または前記第２のセルの周波数帯域に設定されていた測定設定情報を削除するステップと、を備えることを特徴とする請求項１２に記載の測定設定管理方法。
【請求項１４】
前記測定管理方法は、
前記ハンドオーバー指示メッセージに測定設定情報をターゲットセルの周波数帯域に対して交換可能であることを示す識別子が設定されている場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するステップと、
前記ハンドオーバー指示メッセージに測定設定情報をターゲットセルの周波数帯域に対して交換可能であることを示す識別子が設定されていない場合は、
ハンドオーバー前の前記第１のセルの周波数帯域または前記第２のセルの周波数帯域に設定されていた測定設定情報を削除するステップと、を備えることを特徴とする請求項１２に記載の測定設定管理方法。
【請求項１５】
前記測定管理方法は、
前記ハンドオーバー指示メッセージにターゲットセルの周波数帯域に設定される測定設定情報をソースセルの周波数帯域に対して交換不可能であることを示す識別子が設定されている場合は、
ハンドオーバー前の前記第１のセルの周波数帯域または前記第２のセルの周波数帯域に設定されていた測定設定情報を削除するステップと、
前記ハンドオーバー指示メッセージにターゲットセルの周波数帯域に設定される測定設定情報をソースセルの周波数帯域に対して交換不可能であることを示す識別子が設定されていない場合は、
ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するステップと、を備えることを特徴とする請求項１２に記載の測定設定管理方法。
【発明の詳細な説明】
【技術分野】
【０００１】
本発明は、通信システム、移動局装置、基地局装置及び測定方法に関し、特に、移動局装置が複数の周波数帯域のセルを用いて基地局装置と無線接続している場合の周波数帯域の測定設定管理方法に関する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）が検討され、更にその発展形であるＡｄｖａｎｃｅｄ  ＥＵＴＲＡ（LTE-Advancedとも称される）の検討が進められている。
【０００３】
Ａｄｖａｎｃｅｄ  ＥＵＴＲＡでは、ＥＵＴＲＡとの互換性を維持しつつ、より高速なデータ伝送が可能な技術として、キャリア・アグリゲーション（Ｃａｒｒｉｅｒ  Ａｇｇｒｅｇａｔｉｏｎ）と称させる技術が提案されている。キャリア・アグリゲーションとは、複数の異なる周波数帯域（キャリア周波数、コンポーネントキャリア（Ｃｏｍｐｏｎｅｎｔ  Ｃａｒｒｉｅｒ）とも称する）のセルからそれぞれ送信された送信装置のデータを、異なる周波数帯域に対応する受信装置において受信することで、データレートを向上させる技術である。なお、以後は下りリンク送信における受信装置のことを移動局装置、下りリンク送信における送信装置のことを基地局装置と記載し、上りリンク送信における受信装置のことを基地局装置、上りリンク送信における送信装置のことを移動局装置と記載するが、本発明の適用範囲はこれらの装置に限定する必要は無い。
【０００４】
Ａｄｖａｎｃｅｄ  ＥＵＴＲＡの移動局装置（以後、移動局装置と称する）は、移動管理（ｍｏｂｉｌｉｔｙ  ｃｏｎｔｒｏｌ）に必要となる測定報告（ｍｅａｓｕｒｅｍｅｎｔ  ｒｅｐｏｒｔ）を行なうために、複数のコンポーネントキャリアの受信及び測定を行なう必要があり、ＥＵＴＲＡよりも複雑な測定設定管理方法が要求される。
【０００５】
例えば、ＥＵＴＲＡの移動局装置は、ハンドオーバー時において、ハンドオーバー前のセル（ソースセル、在圏セル）の周波数帯域の測定設定情報を、ハンドオーバー後のセル（ターゲットセル、周辺セル）の周波数帯域に対して再利用（ｌｉｎｋ）するように構成されている（非特許文献１）。測定設定情報は、周波数帯域に対して設定されるものであり、測定ＩＤと、測定対象周波数（ｍｅａｓｕｒｅｍｅｎｔ  ｏｂｊｅｃｔ）と測定対象周波数ＩＤ、検出する測定イベント（ｍｅａｓｕｒｅｍｅｎｔ  ｅｖｅｎｔ）を含んだ報告設定（ｒｅｐｏｒｔｉｎｇ  ｃｏｎｆｉｇｕｒａｔｉｏｎ）と報告設定ＩＤとで構成される。すなわち、ハンドオーバー前のセルの周波数帯域に関連する測定ＩＤは、ハンドオーバー後のセルの周波数帯域に関連する測定ＩＤと交換（ｓｗａｐ）される。
【０００６】
しかしながら、キャリア・アグリゲーション中の移動局装置に対して上述した方法を適用しようとした場合、移動局装置は、ハンドオーバー前とハンドオーバー後の両方で複数のセルが設定されている状態であり、ＥＵＴＲＡの場合と異なり、どの周波数帯域の測定設定情報を再利用するかについて判断する必要があるため、ＥＵＴＲＡの方法をそのまま援用することが出来ない。
【０００７】
非特許文献２から非特許文献５には、この問題に対処するために、ハンドオーバー前とハンドオーバー後の各セルに設定される測定設定情報の再利用方法について記載されている。
【先行技術文献】
【非特許文献】
【０００８】
【非特許文献１】Ｒ２−０８５５５８，ＮＴＴ  ＤＯＣＯＭＯ，ＩＮＣ，３ＧＰＰ  ＴＳＧ−ＲＡＮ  ＷＧ２  Ｍｅｅｔｉｎｇ  ＃６３ｂｉｓ，Ｐｒａｑｕｅ，Ｃｚｅｃｈ  Ｒｅｐｕｂｌｉｃ，２９  Ｓｅｐ−３  Ｏｃｔ  ２００８
【非特許文献２】Ｒ２−１０２８７０，Ｑｕａｌｃｏｍｍ  Ｉｎｃｏｒｐｏｒａｔｅｄ，３ＧＰＰ  ＴＳＧ−ＲＡＮ  ＷＧ２  Ｍｅｅｔｉｎｇ  ＃７０，Ｍｏｎｔｒｅａｌ，Ｃａｎａｄａ，１０ｔｈ−１４ｔｈ  Ｍａｙ  ２０１０
【非特許文献３】Ｒ２−１０３０８９，Ｅｒｉｃｓｓｏｎ，ＳＴ−Ｅｒｉｃｓｓｏｎ，３ＧＰＰ  ＴＳＧ−ＲＡＮ  ＷＧ２  Ｍｅｅｔｉｎｇ  ＃７０，Ｍｏｎｔｒｅａｌ，Ｃａｎａｄａ，１０ｔｈ−１４ｔｈ  Ｍａｙ  ２０１０
【非特許文献４】Ｒ２−１０２８６４，Ｈｕａｗｅｉ，３ＧＰＰ  ＴＳＧ−ＲＡＮ  ＷＧ２  Ｍｅｅｔｉｎｇ  ＃７０，Ｍｏｎｔｒｅａｌ，Ｃａｎａｄａ，１０ｔｈ−１４ｔｈ  Ｍａｙ  ２０１０
【非特許文献５】Ｒ２−１０３０６５，ＮＴＴ  ＤＯＣＯＭＯ，ＩＮＣ．，３ＧＰＰ  ＴＳＧ−ＲＡＮ  ＷＧ２  Ｍｅｅｔｉｎｇ  ＃７０，Ｍｏｎｔｒｅａｌ，Ｃａｎａｄａ，１０ｔｈ−１４ｔｈ  Ｍａｙ  ２０１０
【発明の概要】
【発明が解決しようとする課題】
【０００９】
しかしながら、上述した非特許文献２から非特許文献５には、それぞれ以下に示す課題がある。
【００１０】
非特許文献２及び３には、ハンドオーバー後にソースセルの周波数帯域とターゲットセルの周波数帯域の測定設定情報を交換して再利用する測定設定管理方法が提案されている。しかしながら、非特許文献２及び３に示す方法は、ソースセルの周波数帯域がキャリア・アグリゲーションの対象外の周波数帯域になる場合における周波数内イベントのように、設定されている測定イベントの内容によって交換可能なものと交換可能でないものを区別しておらず、その具体的な交換方法について考慮していないという問題がある。
【００１１】
これに対し、非特許文献４は、ハンドオーバー後のソースセルの周波数帯域の測定設定情報が交換可能であれば交換し、交換可能できない場合は当該測定イベントを削除する測定設定管理方法が提案されている。しかしながら、非特許文献４に示す方法は、交換可能かどうかの判定を必要とするため、管理方法が複雑になるという問題がある。
【００１２】
また、非特許文献５は、ターゲットセルの周波数帯域に設定されている測定設定情報を全て削除する方法が提案されている。しかしながら、非特許文献５に示す方法は、実際に利用可能な測定イベントまで削除してしまうという問題がある。
【００１３】
上記の課題を鑑みて、本発明は、移動局装置が複数の周波数帯域のセルを用いて基地局装置と無線接続している場合に、簡易な方法で設定された測定設定情報を再利用可能な通信システム、移動局装置、基地局装置及び測定設定管理方法を提供することを目的とする。
【課題を解決するための手段】
【００１４】
（１）上記の目的を達成するために、本発明は、以下のような手段を講じた。すなわち、本発明の通信システムは、基地局装置が移動局装置に対して複数の周波数帯域のセルの測定に必要な測定設定情報を周波数帯域毎に設定し、前記移動局装置が前記複数の周波数帯域のセルを同時に用いて前記基地局装置と接続して通信を行なう通信システムであって、前記セルの種別は、常に活性化される第１のセルと、不活性化が可能な第２のセルと、それ以外の第３のセルとに分類され、前記基地局装置は、前記移動局装置に対し、前記第１のセルの周波数帯域または前記第２のセルの周波数帯域の変更を指定するハンドオーバーの実行を決定し、前記ハンドオーバーの実行を指示するハンドオーバー指示メッセージを前記移動局装置に送信し、前記移動局装置は、前記ハンドオーバー指示メッセージを受信し、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するか否かを判断する測定設定管理方法を用いることを特徴とする。
【００１５】
（２）また、本発明の通信システムにおいて、前記移動局装置は、ハンドオーバー後に前記第１のセルまたは前記第２のセルとして利用される周波数帯域に測定設定情報が設定されている場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用し、ハンドオーバー後に前記第１のセルまたは前記第２のセルとして利用される周波数帯域に測定設定情報が設定されていない場合は、ハンドオーバー前の前記第１のセルの周波数帯域または前記第２のセルの周波数帯域に設定されていた測定設定情報を削除する測定設定管理方法を用いることを特徴とする。
【００１６】
（３）また、本発明の通信システムにおいて、前記移動局装置は、前記ハンドオーバー指示メッセージに測定設定情報をターゲットセルの周波数帯域に対して交換可能であることを示す識別子が設定されている場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用し、前記ハンドオーバー指示メッセージに測定設定情報をターゲットセルの周波数帯域に対して交換可能であることを示す識別子が設定されていない場合は、ハンドオーバー前の前記第１のセルの周波数帯域または前記第２のセルの周波数帯域に設定されていた測定設定情報を削除する測定設定管理方法を用いることを特徴とする。
【００１７】
（４）また、本発明の通信システムにおいて、前記移動局装置は、前記ハンドオーバー指示メッセージにターゲットセルの周波数帯域に設定される測定設定情報をソースセルの周波数帯域に対して交換不可能であることを示す識別子が設定されている場合は、ハンドオーバー前の前記第１のセルの周波数帯域または前記第２のセルの周波数帯域に設定されていた測定設定情報を削除し、前記ハンドオーバー指示メッセージにターゲットセルの周波数帯域に設定される測定設定情報をソースセルの周波数帯域に対して交換不可能であることを示す識別子が設定されていない場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用する測定設定管理方法を用いることを特徴とする。
【００１８】
（５）また、本発明の通信システムにおいて、前記識別子は、測定ＩＤ、測定対象周波数ＩＤ、セルＩＤまたはコンポーネントキャリア識別子であることを特徴とする。
【００１９】
（６）また、本発明の通信システムにおいて、前記識別子は、周波数帯域毎に複数設定されることを特徴とする。
【００２０】
（７）また、本発明の移動局装置は、基地局装置が移動局装置に対して複数の周波数帯域のセルの測定に必要な測定設定情報を周波数帯域毎に設定し、前記移動局装置が前記複数の周波数帯域のセルを同時に用いて前記基地局装置と接続して通信を行なう通信システムにおける移動局装置であって、前記セルの種別は、常に活性化される第１のセルと、不活性化が可能な第２のセルと、それ以外の第３のセルとに分類され、前記基地局装置から前記第１のセルの周波数帯域または前記第２のセルの周波数帯域の変更を指定するハンドオーバーの実行を決定し、前記ハンドオーバーの実行を指示するハンドオーバー指示メッセージを受信し、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するか否かを判断する測定設定管理方法を用いることを特徴とする。
【００２１】
（８）また、本発明の移動局装置は、
ハンドオーバー後に前記第１のセルまたは前記第２のセルとして利用される周波数帯域に測定設定情報が設定されている場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用し、
ハンドオーバー後に前記第１のセルまたは前記第２のセルとして利用される周波数帯域に測定設定情報が設定されていない場合は、ハンドオーバー前の前記第１のセルの周波数帯域または前記第２のセルの周波数帯域に設定されていた測定設定情報を削除する測定設定管理方法を用いることを特徴とする。
【００２２】
（９）また、本発明の移動局装置は、前記ハンドオーバー指示メッセージに測定設定情報をターゲットセルの周波数帯域に対して交換可能であることを示す識別子が設定されている場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用し、前記ハンドオーバー指示メッセージに測定設定情報をターゲットセルの周波数帯域に対して交換可能であることを示す識別子が設定されていない場合は、ハンドオーバー前の前記第１のセルの周波数帯域または前記第２のセルの周波数帯域に設定されていた測定設定情報を削除する測定設定管理方法を用いることを特徴とする。
【００２３】
（１０）また、本発明の移動局装置は、前記ハンドオーバー指示メッセージにターゲットセルの周波数帯域に設定される測定設定情報をソースセルの周波数帯域に対して交換不可能であることを示す識別子が設定されている場合は、ハンドオーバー前の前記第１のセルの周波数帯域または前記第２のセルの周波数帯域に設定されていた測定設定情報を削除し、前記ハンドオーバー指示メッセージにターゲットセルの周波数帯域に設定される測定設定情報をソースセルの周波数帯域に対して交換不可能であることを示す識別子が設定されていない場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用する測定設定管理方法を用いることを特徴とする。
【００２４】
（１１）また、本発明の基地局装置は、基地局装置が移動局装置に対して複数の周波数帯域のセルの測定に必要な測定設定情報を周波数帯域毎に設定し、前記移動局装置が前記複数の周波数帯域のセルを同時に用いて前記基地局装置と接続して通信を行なう通信システムにおける基地局装置であって、前記セルの種別は、常に活性化される第１のセルと、不活性化が可能な第２のセルと、それ以外の第３のセルとに分類され、前記移動局装置に対し、前記第１のセルの周波数帯域または前記第２のセルの周波数帯域の変更を指定するハンドオーバーの実行を決定し、前記ハンドオーバーの実行を指示するハンドオーバー指示メッセージを前記移動局装置に送信し、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するか否かを前記移動局装置に判断させる測定設定管理方法を用いることを特徴とする。
【００２５】
（１２）また、本発明の移動局装置の測定設定管理方法は、基地局装置が移動局装置に対して複数の周波数帯域のセルの測定に必要な測定設定情報を周波数帯域毎に設定し、前記移動局装置が前記複数の周波数帯域のセルを同時に用いて前記基地局装置と接続して通信を行なう通信システムにおける移動局装置の測定設定管理方法であって、前記セルの種別は、常に活性化される第１のセルと、不活性化が可能な第２のセルと、それ以外の第３のセルとに分類され、前記移動局装置は、前記基地局装置から前記第１のセルの周波数帯域または前記第２のセルの周波数帯域の変更を指定するハンドオーバーの実行を決定するステップと、前記ハンドオーバーの実行を指示するハンドオーバー指示メッセージを受信するステップと、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するか否かを判断するステップと、を備えることを特徴とする。
【００２６】
（１３）また、本発明の移動局装置の測定設定管理方法は、ハンドオーバー後に前記第１のセルまたは前記第２のセルとして利用される周波数帯域に測定設定情報が設定されている場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するステップと、ハンドオーバー後に前記第１のセルまたは前記第２のセルとして利用される周波数帯域に測定設定情報が設定されていない場合は、ハンドオーバー前の前記第１のセルの周波数帯域または前記第２のセルの周波数帯域に設定されていた測定設定情報を削除するステップと、を備えることを特徴とする。
【００２７】
（１４）また、本発明の移動局装置の測定設定管理方法は、前記ハンドオーバー指示メッセージに測定設定情報をターゲットセルの周波数帯域に対して交換可能であることを示す識別子が設定されている場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するステップと、前記ハンドオーバー指示メッセージに測定設定情報をターゲットセルの周波数帯域に対して交換可能であることを示す識別子が設定されていない場合は、ハンドオーバー前の前記第１のセルの周波数帯域または前記第２のセルの周波数帯域に設定されていた測定設定情報を削除するステップと、を備えることを特徴とする。
【００２８】
（１５）また、本発明の移動局装置の測定設定管理方法は、前記ハンドオーバー指示メッセージにターゲットセルの周波数帯域に設定される測定設定情報をソースセルの周波数帯域に対して交換不可能であることを示す識別子が設定されている場合は、ハンドオーバー前の前記第１のセルの周波数帯域または前記第２のセルの周波数帯域に設定されていた測定設定情報を削除するステップと、前記ハンドオーバー指示メッセージにターゲットセルの周波数帯域に設定される測定設定情報をソースセルの周波数帯域に対して交換不可能であることを示す識別子が設定されていない場合は、ハンドオーバー後に前記第１のセルまたは前記第２のセルとして利用される周波数帯域に設定されていた測定設定情報を、ハンドオーバー前の前記第１のセルの周波数帯域または前記第２のセルの周波数帯域に対して利用するステップと、を備えることを特徴とする。
【発明の効果】
【００２９】
以上説明したように、本発明によれば、移動局装置が複数の周波数帯域のセルを用いて基地局装置と無線接続している場合に、簡易な方法で設定された測定設定情報を再利用可能な通信システム、移動局装置、基地局装置及び測定設定管理方法を提供することが出来る。
【図面の簡単な説明】
【００３０】
【図１】本発明の実施形態に係る移動局装置１の一例を示したブロック図である。
【図２】本発明の実施形態に係る基地局装置２の一例を示したブロック図である。
【図３】本発明の第１の実施形態に係るハンドオーバー前の測定設定情報をハンドオーバー後に再利用する場合の測定設定管理方法について示した図である。
【図４】本発明の第１の実施形態に係る移動局装置１に設定された測定設定情報について説明するための図である。
【図５】本発明の第１の実施形態に係る移動局装置１に設定されたハンドオーバー後の測定設定情報について説明するための図である。
【図６】本発明の第１の実施形態に係る移動局装置１に設定されたハンドオーバー後の測定設定情報について説明するための別の図である。
【図７】本発明の第１の実施形態に係る移動局装置１に設定されたハンドオーバー後の測定設定情報について説明するための別の図である。
【図８】本発明の第２の実施形態に係るハンドオーバー前の測定設定情報をハンドオーバー後に再利用する場合の測定設定管理方法について示した図である。
【図９】本発明の第２の実施形態に係る移動局装置１に設定されたハンドオーバー後の測定設定情報について説明するための図である。
【図１０】本発明の第３の実施形態に係るハンドオーバー前の測定設定情報をハンドオーバー後に再利用する場合の測定設定管理方法について示した図である。
【図１１】本発明の第３の実施形態に係る移動局装置１に設定されたハンドオーバー後の測定設定情報について説明するための図である。
【図１２】ハンドオーバー前後における、従来の移動局装置１ならびに基地局装置２の測定設定管理方法の一例を示したシーケンスチャート図である。
【図１３】従来のハンドオーバー前の移動局装置１に設定される測定設定情報の一例を示した図である。
【図１４】従来のハンドオーバー後の移動局装置１に設定される測定設定情報の一例を示した図である。
【図１５】本発明の実施形態に係る通信ネットワーク構成の一例を示す図である。
【発明を実施するための形態】
【００３１】
本発明の実施形態を説明する前に、本発明に関する物理チャネル、ハンドオーバー時の測定設定管理方法、キャリア・アグリゲーションについて説明する。
【００３２】
[物理チャネル]
ＥＵＴＲＡ及びＡｄｖａｎｃｅｄ  ＥＵＴＲＡで使用される物理チャネル（または物理シグナル）について説明を行なう。物理チャネルは、基地局装置から移動局装置へ送信される下りリンクにおける下りリンクチャネルと、移動局装置から基地局装置へ送信される上りリンクにおける上りリンクチャネルとが存在する。物理チャネルは、ＥＵＴＲＡ、及びＡｄｖａｎｃｅｄ  ＥＵＴＲＡにおいて、今後追加、または、その構造が変更される可能性もあるが、変更された場合でも本発明の各実施形態の説明には影響しない。
【００３３】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（セルＩＤ、PCI; Physical Cell Identifier）と、無線同期のためのフレームタイミングが示される。移動局装置は、セルサーチによって受信した同期シグナルのセルＩＤを特定する。
【００３４】
物理報知情報チャネル（PBCH; Physical Broadcast Channel）は、セル内の移動局装置で共通に用いられる制御パラメータ（報知情報（システム情報）；System information）を通知する目的で送信される。物理報知情報チャネルで通知されない報知情報は、下りリンク制御チャネルで無線リソースが通知され、下りリンクデータチャネルを用いてレイヤ３メッセージ（システムインフォメーション）で送信される。報知情報として、セル個別の識別子を示すセルグローバル識別子（CGI; Cell Global Identifier）、ページングによる待ち受けエリアを管理するトラッキングエリア識別子（TAI; Tracking Area Identifier）、セルの周波数帯域幅や下りリンクと上りリンクの周波数帯域の対応関係などが通知される。
【００３５】
下りリンクリファレンスシグナルは、セル毎に所定の電力で送信されるパイロットシグナルである。また、下りリンクリファレンスシグナルは、所定の規則に基づき周波数・時間位置で周期的に繰り返される既知の信号である。移動局装置は、下りリンクリファレンスシグナルを受信することでセル毎の受信品質を測定する。また、移動局装置は、下りリンクリファレンスシグナルと同時に送信される下りリンク制御チャネル、または下りリンクデータチャネルの復調のための参照用の信号としても下りリンクリファレンスシグナルを使用する。下りリンクリファレンスシグナルに使用される系列は、セル毎に識別可能な系列が用いられる。なお、下りリンクリファレンスシグナルはセル固有ＲＳ（Cell-specific reference signals）と記載される場合もあるが、その用途と意味は同じである。
【００３６】
下りリンク制御チャネル（PDCCH; Physical Downlink Control Channel）は、各サブフレームの先頭からいくつかのＯＦＤＭシンボルで送信され、移動局装置に対して基地局装置のスケジューリングに従った無線リソース割当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の下りリンク制御チャネルを監視（モニタ）し、自局宛の下りリンク制御チャネルを受信することで、送信時には上りリンクグラント、受信時には下りリンクグラントと呼ばれる無線リソース割当て情報を取得する必要がある。
【００３７】
下りリンクデータチャネル（PDSCH; Physical Downlink Shared Channel）は、下りリンクデータの他、下りリンク制御データであるレイヤ３メッセージとしてページングや報知情報を通知するためにも使用される。下りリンクデータチャネルの無線リソース割当て情報は、下りリンク制御チャネルで示される。
【００３８】
上りリンクデータチャネル（PUSCH; Physical Uplink Shared Channel）は、主に上りリンクデータと上りリンク制御データを送信し、下りリンクの受信品質やＡＣＫ／ＮＡＣＫなどの制御データを含めることも可能である。また、下りリンクと同様に上りリンクデータチャネルの無線リソース割当て情報は、下りリンク制御チャネルで示される。
【００３９】
ランダムアクセスチャネル（PRACH; Physical Random Access Channel）は、プリアンブル系列を通知するために使用されるチャネルであり、ガードタイムを持つ。ランダムアクセスチャネルは、移動局装置の基地局装置へのアクセス手段として用いられる。移動局装置は、上りリンク制御チャネル未設定時の送信データのスケジューリング要求や、上りリンク送信タイミングを基地局装置の受信タイミングウィンドウに合わせるために必要な送信タイミング調整情報の要求にランダムアクセスチャネルを用いる。送信タイミング調整情報を受信した移動局装置は、送信タイミング調整情報の有効時間を設定し、有効時間中は送信タイミング調整状態、有効期間外は、送信タイミング非調整状態として状態を管理する。基地局装置は、移動局装置に対して個別プリアンブル系列（Dedicated preamble）を割り当てて、ランダムアクセスを開始させることも可能である。なお、それ以外の物理チャネルは、本発明の各実施形態に関わらないため詳細な説明は省略する。
【００４０】
[ハンドオーバー時の測定設定管理方法]
図１２は、ＥＵＴＲＡでのハンドオーバー前後における、移動局装置１ならびに基地局装置２の測定設定管理方法について説明するためのシーケンスチャート図である。
【００４１】
図１２の例において、基地局装置２は、自局が運用する周波数としてＦ１とＦ２という異なる２つの周波数を使用可能であるとし、移動局装置１と基地局装置２は、周波数Ｆ１において無線接続が確立された状態（無線リソース制御接続状態（Ｒａｄｉｏ  Ｒｅｓｏｕｒｃｅ  Ｃｏｎｔｒｏｌ  Ｃｏｎｎｅｃｔｅｄ：ＲＲＣ＿Ｃｏｎｎｅｃｔｅｄ））である。ここで、基地局装置２は、移動局装置１に対して通信中のセル（在圏セル）並びにその他セル（周辺セル）の受信品質を測定させるために測定設定メッセージを送信する（ステップＳ１）。測定設定メッセージには、測定される周波数（周波数Ｆ１と周波数Ｆ２）毎に少なくとも一つの測定設定情報が含まれている。測定設定情報は、測定ＩＤと、測定対象周波数（ｍｅａｓｕｒｅｍｅｎｔ  ｏｂｊｅｃｔ）と、測定対象周波数に対応する測定対象周波数ＩＤと、測定イベントを含んだ報告設定と、報告設定に対応する報告設定ＩＤとで構成される。一つの測定対象周波数ＩＤに対し複数の報告設定ＩＤがリンクされるように構成されていても良い。同様に、複数の測定対象周波数ＩＤに対して一つの報告設定ＩＤがリンクされるように構成されていても良い。
【００４２】
測定イベントとは、例えば、在圏セルの受信品質が所定の閾値よりも下回った／上回ったとき、周辺セルの受信品質が在圏セルよりも下回ったとき、周辺セルの受信品質が所定の閾値よりも上回ったとき、などの条件と、当該条件を判定するために用いるパラメータから構成される情報である。パラメータには閾値や、オフセット値、測定イベントの成立に必要な時間などが設定される。
【００４３】
移動局装置１は、ステップＳ２において、基地局装置２から設定された測定設定情報を内部情報として保存してから測定処理を開始する。具体的には、移動局装置１は測定ＩＤと測定対象周波数ＩＤと報告設定ＩＤとを一つにリンクされるよう対応付けて管理し、各ＩＤに対応する測定情報を基に測定を開始する。これらの３つのＩＤが一つにリンクされている場合、有効とみなして関連する測定を開始し、これらの３つのＩＤが一つにリンクされていない場合（いずれかのＩＤが設定されていない場合）、無効とみなして関連する測定は開始されない。そして、誤り無く測定設定情報を設定できた場合、移動局装置１は、ステップＳ３において測定設定完了メッセージを基地局装置２へ送信する。
【００４４】
そして、移動局装置１において、設定された測定イベントのいずれかがパラメータに従い条件を満たした場合、当該測定イベントがトリガ（ｔｒｉｇｇｅｒ）されたとして、測定報告メッセージを基地局装置２に対して送信する（ステップＳ４）。測定報告メッセージには、少なくともトリガされた測定イベントの報告設定ＩＤにリンクした測定ＩＤと、必要であれば関連するセルの測定結果が設定される。基地局装置２は測定ＩＤがどの測定イベントの報告設定ＩＤにリンクしているかを把握しているため、移動局装置１は測定報告メッセージで報告設定ＩＤを通知する必要はない。
【００４５】
基地局装置２は、移動局装置１からの測定報告メッセージやシステム負荷や干渉の状態などを考慮し、移動局装置１に対して異周波数ハンドオーバー（Ｉｎｔｅｒ−ｆｒｅｑｕｅｎｃｙ  ｈａｎｄｏｖｅｒ）の実行を示すハンドオーバー指示メッセージを送信する（ステップＳ５）。図１２では、基地局装置２の周波数Ｆ１から同じ基地局装置２の異なる周波数Ｆ２に対して異周波数ハンドオーバーする例を示しているが、移動局装置１は、異なる基地局装置２への異周波数ハンドオーバーであっても同様の制御手順を行う必要がある。移動局装置１は、受信したハンドオーバー指示メッセージによって異周波数ハンドオーバーが指示されていた場合、異周波数ハンドオーバーを実行すると共に測定設定変更を行なう（ステップＳ６）
【００４６】
測定設定変更において、移動局装置１は、ハンドオーバー前の周波数帯域に関する測定ＩＤとハンドオーバー後の周波数帯域に関する測定ＩＤとを交換することで対応付けられたリンクを更新する。そして、異周波数ハンドオーバーが完了した場合、ハンドオーバー完了メッセージをハンドオーバー先の基地局装置２に対して送信し、ハンドオーバー手順を完了する（ステップＳ７）。
【００４７】
図１３及び図１４は、図１２に示したステップＳ６におけるＥＵＴＲＡにおける異周波数ハンドオーバー時の移動局装置１ならびに基地局装置２の、測定設定情報の変更方法について説明するための図である。異周波数ハンドオーバー前のＥＵＴＲＡの移動局装置に対し、図１３に示す測定設定情報が設定されていた場合、異周波数ハンドオーバー後のＥＵＴＲＡの移動局装置は、図１４に示すように測定設定情報を変更すると共に再利用するように構成されている。
【００４８】
より具体的には、図１３に示すように移動局装置１は、周波数Ｆ１においてセルＡとセルＢとを測定しており、周波数Ｆ２においてセルＣとセルＤとを測定している。セルＡは、移動局装置１の在圏セルであり、その他のセルは周辺セルである。ここで、移動局装置１は、在圏セルＡと周波数Ｆ１の周辺セル（図の例ではセルＢ）とを比較する測定イベント（報告設定ＩＤ＃１）が設定されており、当該測定イベントの報告設定ＩＤは測定ＩＤ＃１にリンクされている。周波数Ｆ１を示すＩＤを周波数ＩＤ＃１とした場合、移動局装置１は、測定ＩＤ＃１−周波数ＩＤ＃１−報告設定ＩＤ＃１をリンクして管理している。
【００４９】
同様に、移動局装置１は、在圏セルＡと周波数Ｆ２の周辺セル（図の例ではセルＣとセルＤ）とを比較する測定イベント（報告設定ＩＤ＃２）が設定されており、当該測定イベントの報告設定ＩＤは測定ＩＤ＃２にリンクされている。周波数Ｆ２を示すＩＤを周波数ＩＤ＃２とした場合、移動局装置１は、測定ＩＤ＃２−周波数ＩＤ＃２−報告設定ＩＤ＃２をリンクして管理している。
【００５０】
続いて、移動局装置１が周波数Ｆ１のセルＡから周波数Ｆ２のセルＣに異周波数ハンドオーバーした場合における、変更後の測定設定情報について図１４に示す。移動局装置１は、異周波数ハンドオーバー前の在圏セルの周波数Ｆ１に関する測定ＩＤを異周波数ハンドオーバー後の在圏セルの周波数Ｆ２と交換して再利用する。すなわち、移動局装置１は、測定ＩＤ＃１−周波数ＩＤ＃２−報告設定ＩＤ＃１と、測定ＩＤ＃２−周波数ＩＤ＃１−報告設定ＩＤ＃２をリンクして管理することになる。
【００５１】
[キャリア・アグリゲーション]
キャリア・アグリゲーションとは、複数の異なる上りリンクまたは下りリンクの周波数帯域（コンポーネントキャリア）を集約（アグリゲーション）して一つの周波数帯域のように扱う技術である。例えば、キャリア・アグリゲーションによって周波数帯域幅が２０ＭＨｚのコンポーネントキャリアを５つ集約した場合、移動局装置は１００ＭＨｚの周波数帯域幅とみなしてアクセスすることが可能となる。なお、集約するコンポーネントキャリアは連続した周波数帯域であっても、全てまたは一部が不連続となる周波数帯域であってもよい。例えば、使用可能な周波数帯域が８００ＭＨｚ帯域、２．６ＧＨｚ帯域、３．４ＧＨｚ帯域である場合、ある一つのコンポーネントキャリアが８００ＭＨｚ帯域、別のコンポーネントキャリアが２ＧＨｚ帯域、さらに別のコンポーネントキャリアが３．４ＧＨｚ帯域で送信されていてもよい。
【００５２】
また、同一周波数帯域、例えば２．６ＧＨｚ帯域内の連続または不連続のコンポーネントキャリアを集約することも可能である。各コンポーネントキャリアの周波数帯域幅は２０ＭＨｚより狭い周波数帯域幅であっても良く、各々異なっていても良い。また、移動局装置は、コンポーネントキャリアそれぞれに対してアクセスすることが可能である。
【００５３】
基地局装置は、移動局装置の送信データバッファ量や移動局装置の受信品質、セル内の負荷やＱｏＳなどの種々の要因に基づいて、移動局装置に割り当てる（ａｌｌｏｃａｔｅ、ｃｏｎｆｉｇｕｒｅ）上りリンクまたは下りリンクのコンポーネントキャリアの数を増減することができる。
【００５４】
また、コンポーネントキャリアは、プライマリコンポーネントキャリア（ＰＣＣ；Ｐｒｉｍａｒｙ  Ｃｏｍｐｏｎｅｎｔ  Ｃａｒｒｉｅｒ）とセカンダリコンポーネントキャリア（ＳＣＣ；Ｓｅｃｏｎｄａｒｙ  Ｃｏｍｐｏｎｅｎｔ  Ｃａｒｒｉｅｒ）、非設定コンポーネントキャリア（ＮＣＣ；Ｎｏｎ−ｃｏｎｆｉｇｕｒｅｄ  Ｃｏｍｐｏｎｅｎｔ  Ｃａｒｒｉｅｒ）の３つの種別に分類される。プライマリコンポーネントキャリアとは、典型的には報知情報で指定される一組の上りリンクコンポーネントキャリアと下りリンクコンポーネントキャリアから構成され、移動局装置が測定制御や下りリンクの無線リンク障害（Ｒａｄｉｏ  Ｌｉｎｋ  Ｆａｉｌｕｒｅ）の検出、及び上りリンクの送信タイミングの基準となる周波数帯域である。また、上りリンク制御チャネルを用いて上り制御情報が送信される周波数帯域である。基地局装置は、プライマリコンポーネントキャリアを移動局装置毎に設定することも出来る。移動局装置は、プライマリコンポーネントキャリアのセルからセキュリティ情報を取得して設定することが出来る。
【００５５】
セカンダリコンポーネントキャリアとは、プライマリコンポーネントキャリア以外の移動局装置に割り当てられた周波数帯域のことである。移動局装置は、セカンダリコンポーネントキャリアで無線リンク障害を検出する必要は無い。基地局装置は、移動局装置に対し、省電力化のために割り当てたセカンダリコンポーネントキャリアの活性化／不活性化（アクティベーション／ディアクティベーション）を指示することも出来る。移動局装置は、活性化されたセカンダリコンポーネントキャリアのセルにおいてのみ下りリンク制御チャネルを監視して下りリンクデータチャネルの受信を試み、不活性化されたセカンダリコンポーネントキャリアのセルでは、下りリンク制御チャネルを監視せずに受信品質の測定のみを行なうことも出来る。
【００５６】
非設定コンポーネントキャリアとは、ＰＣＣでもＳＣＣでもなく、設定されていないコンポーネントキャリアである。移動局装置は、非設定コンポーネントキャリアであっても、測定設定情報に基づき測定を行なうかもしれない。
【００５７】
移動局装置に設定されたプライマリコンポーネントキャリアのセルは、プライマリサービングセル（Ｐｒｉｍａｒｙ  Ｓｅｒｖｉｎｇ  Ｃｅｌｌ）であり、セカンダリコンポーネントキャリアのセルはセカンダリサービングセル（Ｓｅｃｏｎｄａｒｙ  Ｓｅｒｖｉｎｇ  Ｃｅｌｌ）である。すなわち、キャリア・アグリゲーションを行なう移動局装置は、プライマリサービングセルと一つまたは複数のセカンダリサービングセルとを介して基地局装置と接続される。
【００５８】
また、キャリア・アグリゲーションを行なう移動局装置は、セルの状態を、（１）設定され活性化された状態、（２）設定されたが不活性の状態、（３）設定されていない状態、に分類して管理する。プライマリサービングセルは１の状態しか取りえず、不活性コンポーネントキャリアのセル（周辺セル）は、３の状態しか取りえない。セカンダリサービングセルは１または２の状態を取る。また、セカンダリサービングセルの活性化／不活性化という状態を省略することで、移動局装置は、単純にセカンダリサービングセルが設定されたか否かという２つの状態だけを管理するような構成であっても良い。
【００５９】
[本発明の通信ネットワーク構成の例]
図１５は、本発明の実施形態に係る通信ネットワーク構成の一例を示す図である。移動局装置１は、キャリア・アグリゲーションによって複数の周波数帯域（コンポーネントキャリア）のセルを同時に用いて基地局装置２と無線接続することが可能な場合、通信ネットワーク構成としては、ある一つの基地局装置２が複数の周波数帯域毎に送信装置１１〜１３（及び図示しない受信装置２１〜２３）を備えており、各周波数帯域のセルの制御を一つの基地局装置２で行なう構成が制御の簡略化の観点から好適である。ただし、複数の周波数帯域が連続する周波数帯域であるなどの理由で、基地局装置２が一つの送信装置で複数の周波数帯域の送信を行なう構成であっても構わない。
【００６０】
基地局装置２の送信装置によって制御される各周波数帯域の通信可能範囲はセルとしてみなされ、空間的に同一のエリアに存在する。このとき、各周波数帯域がカバーするエリア（セル）はそれぞれ異なる広さ、異なる形状であっても良い。また、複数の基地局装置２でキャリア・アグリゲーションされる周波数帯域を管理し、上位の制御局装置が、複数の基地局装置２を管理する通信ネットワーク構成であっても良い。なお、移動局装置１は同じ周波数帯域の異なるセルを同時に測定できるが、同時に接続されることはない。
【００６１】
なお、３ＧＰＰが規定する第３世代の基地局装置２はノードＢ（NodeB）と称され、ＥＵＴＲＡ及びＡｄｖａｎｃｅｄ  ＥＵＴＲＡにおける基地局装置２はイーノードＢ（eNodeB）と称される。基地局装置２は移動局装置１が通信可能なエリアであるセルを管理し、セルは移動局装置１と通信可能なエリアの大きさに応じてフェムトセルやピコセル、ナノセルとも称される。また、移動局装置１がある基地局装置２と通信可能であるとき、その基地局装置２のセルは移動局装置１の在圏セルであり、その他の基地局装置２のセルは周辺セルと称される。
【００６２】
後述する記載において、基地局装置２が形成するコンポーネントキャリアの周波数でカバーされるエリアのことをそれぞれセルと称して説明するが、これは実際に運用される通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。本発明でコンポーネントキャリアをセルと称することで、実際に運用される通信システムにおけるセルの定義と異なる場合が発生したとしても、本発明の主旨には影響しない。なお、移動局装置１は、リレー局装置（またはリピーター）を介して基地局装置２と無線接続されても良い。
【００６３】
更に、後述する記載において、コンポーネントキャリア、またはプライマリコンポーネントキャリア、セカンダリコンポーネントキャリア、非設定コンポーネントキャリアと記述された場合、特段の説明が無い場合、これらは全て下りリンクにおけるコンポーネントキャリアを示すことに注意する。移動局装置１が測定するコンポーネントキャリアは下りリンクコンポーネントキャリアであり、測定設定情報は下りリンクコンポーネントキャリアに対して設定される。
【００６４】
以上の事項を考慮しつつ、以下、添付図面に基づき、本発明の好適な実施形態について詳細に説明する。なお、本発明の説明において、本発明に関連した公知の機能や構成についての具体的な説明が、本発明の要旨を不明瞭にすると判定される場合には、その詳細な説明を省略する。
【００６５】
＜第１の実施形態＞
本発明の第１の実施形態について以下に説明する。本実施形態は、キャリア・アグリゲーション中の移動局装置１が、ハンドオーバー後に設定された測定設定情報を交換することで再利用する測定設定管理方法に関する。
【００６６】
図１は、本発明の実施形態に係る移動局装置１の一例を示すブロック図である。本移動局装置１は、受信部１０１、復調部１０２、復号部１０３、測定処理部１０４、制御部１０５、ランダムアクセス処理部１０６、符号部１０７、変調部１０８、送信部１０９、上位レイヤ１１０から構成される。受信に先立ち、上位レイヤ１１０より制御部１０５へ移動局装置制御情報が入力され、受信に関する移動局装置制御情報が受信制御情報として、受信部１０１、復調部１０２、復号部１０３、測定処理部１０４へ適切に入力される。受信制御情報は、受信スケジュール情報として、復調情報、復号化情報、受信周波数帯域の情報、各チャネルに関する受信タイミング、多重方法、無線リソース配置情報などの情報が含まれている。
【００６７】
受信信号は、一つ以上のアンテナ（図示せず）を介して受信部１０１において受信される。受信部１０１は、受信制御情報で通知された周波数帯域で信号を受信する。受信部１０１は受信信号のベースバンド処理部を含む。受信信号は復調部１０２へと入力される。復調部１０２は、受信信号を復調して復号部１０３へと受信信号を入力する。復号部１０３は、受信制御情報に基づき受信信号を正しく復号する。復号部１０３は、受信信号を下りリンクトラフィックデータと下りリンク制御データに適切に分離し、それぞれ上位レイヤ１１０へ入力する。また、復号部１０３は測定に関する復号した受信信号を測定処理部１０４へ入力する。測定処理部１０４は、セル毎の下りリンクリファレンスシグナルの受信品質の測定処理や、下りリンク制御チャネルまたは下りリンクデータチャネルの受信誤り率の測定処理を行ない、測定した受信品質をサンプル毎に平均化（フィルタリング）した下りリンク測定情報を生成し、下りリンク測定情報を上位レイヤ１１０へ出力する。また、測定処理部１０４は、得られた受信品質と下りリンク同期誤りの検出に用いる閾値（Ｑｏｕｔとも呼ばれる）とを比較し、必要に応じて下りリンク同期誤りを上位レイヤ１１０へ出力する。
【００６８】
また、送信に先立ち、上位レイヤ１１０より制御部１０５へ移動局装置制御情報が入力され、送信に関する移動局装置制御情報が送信制御情報として、ランダムアクセス処理部１０６、符号部１０７、変調部１０８、送信部１０９へ適切に入力される。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。ランダムアクセス処理部１０６には、上位レイヤ１１０からランダムアクセスに必要な無線リソース情報や最大送信回数などのランダムアクセスチャネルの送信に必要なランダムアクセス情報が入力される。
【００６９】
また、ランダムアクセス処理部１０６は、ランダムアクセスチャネルの送信回数をカウントすることで、ランダムアクセス問題を検出した場合、ランダムアクセス問題が発生したことを示すランダムアクセス問題情報を上位レイヤ１１０へ通知する。符号部１０７には、上位レイヤ１１０より上りリンクトラフィックデータと上りリンク制御データ、ランダムアクセス処理部１０６からランダムアクセスデータとが上りリンクチャネルに応じて適切に入力される。符号部１０７は送信制御情報に従い、各データを適切に符号化し、変調部１０８に出力する。変調部１０８は、符号部１０７からの入力を変調する。
【００７０】
送信部１０９は、変調部１０８の出力を周波数領域にマッピングすると共に、周波数領域の信号を時間領域の信号へ変換し、既定の周波数の搬送波にのせて電力増幅を行なうと共に送信する。上りリンク制御データが配置される上りリンクデータチャネルは、典型的にはレイヤ３メッセージ（無線リソース制御メッセージ；ＲＲＣメッセージ）を構成する。移動局装置１のＲＲＣは上位レイヤ１１０の一部として存在する。また、ランダムアクセス処理部１０６は、移動局装置１のデータリンク層を管理するＭＡＣ（Medium Access Control）の一部として存在する。後述するハンドオーバー処理や測定設定変更処理は、移動局装置１のＲＲＣで行なわれる。図１において、その他の移動局装置１の構成要素は本実施形態に関係ないため省略してある。
【００７１】
図２は、本発明の実施形態による基地局装置２の一例を示すブロック図である。本基地局装置２は、受信部２０１、復調部２０２、復号部２０３、制御部２０４、符号部２０５、変調部２０６、送信部２０７、ネットワーク信号処理部２０８、周辺情報管理部２０９、上位レイヤ２１０から構成される。
【００７２】
上位レイヤ２１０は、下りリンクトラフィックデータと下りリンク制御データを符号部２０５へ入力する。符号部２０５は、入力された各データを符号化し、変調部２０６へ入力する。変調部２０６は、符号化した信号の変調を行なう。また、変調部２０６において、変調された信号に対して下りリンクリファレンスシグナルが多重され、周波数領域にマッピングされる。送信部２０７は、変調部２０６から出力された周波数領域の信号を時間領域の信号へ変換し、変換した信号を既定の周波数の搬送波にのせて電力増幅を行なうと共に送信する。下りリンク制御データが配置される下りリンクデータチャネルは、典型的にはレイヤ３メッセージ（ＲＲＣメッセージ）を構成する。
【００７３】
また、受信部２０１は、移動局装置１からの受信信号をベースバンドのディジタル信号に変換する。ディジタル信号は、復調部２０２へ入力されて復調される。復調部２０２で復調された信号は続いて復号部２０３へ入力されて復号される。復号部２０３は、受信信号を上りリンクトラフィックデータと上りリンク制御データに適切に分離し、それぞれ上位レイヤ２１０へ入力する。
【００７４】
これら各ブロックの制御に必要な基地局装置制御情報は、上位レイヤ２１０より制御部２０４へ入力され、制御部２０４より送信に関連する基地局装置制御情報は送信制御情報として、符号部２０５、変調部２０６、送信部２０７の各ブロックに、受信に関連する基地局装置制御情報は受信制御情報として、受信部２０１、復調部２０２、復号部２０３の各ブロックに適切に入力される。
【００７５】
一方、ネットワーク信号処理部２０８は、基地局装置２間（または制御局装置（ＭＭＥ）、ゲートウェイ装置（Ｇａｔｅｗａｙ）、リレー局装置）と基地局装置２との間の制御メッセージの送信または受信を行なう。制御メッセージはネットワーク回線を経由して送受信される。周辺情報管理部２０９は、送信先または送信元の基地局装置２（または制御局装置、ゲートウェイ装置、リレー局装置）を特定するためのネットワーク情報を管理する。ネットワーク情報は、例えばトラッキングエリア識別子（TAI）、セルグローバル識別子（CGI）、セル識別子（PCI）、ネットワークカラーコード、インターネットプロトコルアドレス（ＩＰアドレス）などの各装置のネットワーク上でのアドレスを特定可能な情報から構成される。
【００７６】
また、基地局装置２（またはリレー局装置）との制御メッセージは、Ｘ２インターフェースと呼ばれる論理インターフェース上でやり取りされ、制御局装置（またはゲートウェイ装置）との制御メッセージは、Ｓ１インターフェースと呼ばれる論理インターフェース上でやり取りされる。ネットワーク回線は、典型的には有線回線であるが、例えばリレー局装置と通信する場合は無線回線であっても良い。
【００７７】
周辺情報管理部２０９は、必要に応じてネットワーク信号処理部２０８にネットワーク情報を提供する。ネットワーク信号処理部２０８と周辺情報管理部２０９は上位レイヤが管理する。基地局装置２のＲＲＣは、上位レイヤ２１０の一部として存在する。図２において、その他の基地局装置２の構成要素は本実施形態に関係ないため省略してある。
【００７８】
続いて、本実施形態の移動局装置１が、ハンドオーバー後に設定された測定設定情報を交換することで再利用する測定設定管理方法について説明を行なう。以下に示す測定方法は、移動局装置１の上位レイヤ１１０（ＲＲＣ）で行なわれる。
【００７９】
第１の実施形態の移動局装置１と基地局装置２は、図１２に示したシーケンス図を用いてハンドオーバーと測定設定変更処理を行う。ただし、基地局装置２で運用する周波数帯域は２つに制限する必要はない。図１２に例示した各制御メッセージは、ＥＵＴＲＡで既存の制御メッセージを再利用しても良い。例えば、測定設定メッセージ及びハンドオーバー指示メッセージはＲＲＣ  Ｃｏｎｎｅｃｔｉｏｎ  Ｒｅｃｏｎｆｉｇｕｒａｔｉｏｎメッセージ、測定報告メッセージはＭｅａｓｕｒｅｍｅｎｔ  Ｒｅｐｏｒｔメッセージ、測定設定完了メッセージおよびハンドオーバー完了メッセージはＲＲＣ  Ｃｏｎｎｅｃｔｉｏｎ  Ｒｅｃｏｎｆｉｇｕｒａｔｉｏｎ  Ｃｏｍｐｌｅｔｅメッセージに必要なパラメータを追加するのみで再利用が可能である。
【００８０】
図３は、本実施形態におけるハンドオーバー前の測定設定情報をハンドオーバー後に交換して再利用する場合の測定設定管理方法について示した図である。図３について以下に詳細に説明する。
【００８１】
「Ｎｏ」（ナンバー）とは、説明の簡略化のために用いる発明と無関係の番号である。以下では、適宜、Ｎｏを使用して説明を行なう。
【００８２】
「Ｓｏｕｒｃｅ」は、移動局装置１がハンドオーバー前に割り当てられたコンポーネントキャリアであって、ハンドオーバー後に変更されるコンポーネントキャリアのハンドオーバー前の種別を示す。「ＰＣＣ」はプライマリコンポーネントキャリアを示し、「ＳＣＣ」はセカンダリコンポーネントキャリアを示す。また、「ＮＣＣ」は、非設定コンポーネントキャリアを示す。
【００８３】
「Ｍｅａｓｕｒｅｍｅｎｔ  Ｅｖｅｎｔ」は、基地局装置２から移動局装置１に設定された測定イベントの種別を示す。「Ｓｅｒｖｉｎｇ  ｃｅｌｌ  ｏｎｌｙ  ｅｖｅｎｔ」は、プライマリサービングセルまたはセカンダリサービングセルの周波数帯域、すなわちＰＣＣまたはＳＣＣを対象とした測定イベントであり、ＮＣＣには設定されない。「Ｐｒｉｍａｒｙ  Ｓｅｒｖｉｎｇ  ｃｅｌｌ  ｃｏｍｐａｒｉｓｏｎ  ｅｖｅｎｔ」は、プライマリサービングセルと、その他のセルとの受信品質の比較を行なう測定イベントである。「Ｓｅｃｏｎｄａｒｙ  Ｓｅｒｖｉｎｇ  ｃｅｌｌ  ｃｏｍｐａｒｉｓｏｎ  ｅｖｅｎｔ」は、セカンダリサービングセルと、ＳＣＣの周辺セルとの受信品質の比較を行なう測定イベントであり、ＰＣＣ及びＮＣＣには設定されない。Ｎｅｉｇｈｂｏｕｒｉｎｇ  ｃｅｌｌ  ｏｎｌｙ  ｅｖｅｎｔ」は、ＮＣＣを対象とした測定イベントであり、ＰＣＣ及びＳＣＣには設定されない。
【００８４】
これらの測定イベントは、ＥＵＴＲＡの測定イベントに当てはめることが可能である。例えば、「Ｓｅｒｖｉｎｇ  ｃｅｌｌ  ｏｎｌｙ  ｅｖｅｎｔ」は、サービングセルの品質が閾値よりも上回った／下回った場合の測定イベント（Ｅｖｅｎｔ−Ａ１またはＥｖｅｎｔ−Ａ２）に対応する。「Ｐｒｉｍａｒｙ  Ｓｅｒｖｉｎｇ  ｃｅｌｌ  ｃｏｍｐａｒｉｓｏｎ  ｅｖｅｎｔ」は、周辺セルの品質がプライマリサービングセルの品質よりも上回った場合の測定イベント（Ｅｖｅｎｔ−Ａ３またはＥｖｅｎｔ−Ａ３−ＰＣＣ、Ｅｖｅｎｔ−Ａ５）に対応する。「Ｓｅｃｏｎｄａｒｙ  Ｓｅｒｖｉｎｇ  ｃｅｌｌ  ｃｏｍｐａｒｉｓｏｎ  ｅｖｅｎｔ」は、周辺セルの品質がセカンダリサービングセルの品質よりも上回った場合の測定イベント（Ｅｖｅｎｔ−Ａ３−ＳＣＣ）に対応する。「Ｎｅｉｇｈｂｏｕｒｉｎｇ  ｃｅｌｌ  ｏｎｌｙ  ｅｖｅｎｔ」は、周辺セルの品質が閾値よりも上回った／下回った場合の測定イベント（Ｅｖｅｎｔ−Ａ４）に対応する。
【００８５】
「Ｔａｒｇｅｔ」は、移動局装置１が「Ｓｏｕｒｃｅ」で割り当てられたコンポーネントキャリアのハンドオーバー後の種別を示す。
【００８６】
「Ａｃｔｉｏｎ」は、「Ｓｏｕｒｃｅ」で示されたコンポーネントキャリアに設定されていた「Ｍｅａｓｕｒｅｍｅｎｔ  Ｅｖｅｎｔ」を、「Ｔａｒｇｅｔ」で示されたコンポーネントキャリアに対してハンドオーバー後にどのように方法を用いて再利用するかについて示す。「ｓｗａｐ」は、「Ｍｅａｓｕｒｅｍｅｎｔ  Ｅｖｅｎｔ」を交換することで再利用可能であることを示す。「ｄｅｌｅｔｅ」は、「Ｍｅａｓｕｒｅｍｅｎｔ  Ｅｖｅｎｔ」を削除して再利用しないことを示す。「ｒｅｍａｉｎ」は、「Ｍｅａｓｕｒｅｍｅｎｔ  Ｅｖｅｎｔ」を交換せずに再利用することを示す。
【００８７】
図４は、本発明の第１の実施形態に係る移動局装置１に設定された測定設定情報について説明するための図である。
【００８８】
セルＡ〜セルＦは、互いに異なる周波数Ｆ１〜周波数Ｆ３で運用されるセルである。セルＡとセルＢはプライマリコンポーネントキャリアＰＣＣである周波数Ｆ１で運用され、セルＡはプライマリサービングセルである。また、セルＣとセルＤはセカンダリコンポーネントキャリアＳＣＣである周波数Ｆ２で運用され、セルＣはセカンダリサービングセルである。また、セルＥとセルＦは、非設定コンポーネントキャリアＮＣＣである周波数Ｆ３で運用される周辺セルである。すなわち、移動局装置１はキャリア・アグリゲーションを用いることで、セルＡとセルＣを介して基地局装置２と接続中である。
【００８９】
ここで、移動局装置１には、測定ＩＤ＃１〜７にリンクされた各種の測定イベントが各周波数（周波数帯域）に対して設定されているとする。測定ＩＤ＃１は、「Ｓｅｒｖｉｎｇ  ｃｅｌｌ  ｏｎｌｙ  ｅｖｅｎｔ」にリンクしており、測定対象周波数は周波数Ｆ１である。測定ＩＤ＃２は、「Ｐｒｉｍａｒｙ  Ｓｅｒｖｉｎｇ  ｃｅｌｌ  ｃｏｍｐａｒｉｓｏｎ  ｅｖｅｎｔ」にリンクしており、測定対象周波数は周波数Ｆ２である。測定ＩＤ＃３は、「Ｓｅｃｏｎｄａｒｙ  Ｓｅｒｖｉｎｇ  ｃｅｌｌ  ｃｏｍｐａｒｉｓｏｎ  ｅｖｅｎｔ」にリンクしており、測定対象周波数は周波数Ｆ２である。
【００９０】
測定ＩＤ＃４は、「Ｎｅｉｇｈｂｏｒｉｎｇ  ｃｅｌｌ  ｏｎｌｙ  ｅｖｅｎｔ」にリンクしており、測定対象周波数は周波数Ｆ３である。測定ＩＤ＃５は、「Ｐｒｉｍａｒｙ  Ｓｅｒｖｉｎｇ  ｃｅｌｌ  ｃｏｍｐａｒｉｓｏｎ  ｅｖｅｎｔ」にリンクしており、測定対象周波数は周波数Ｆ１である。測定ＩＤ＃６は、「Ｓｅｒｖｉｎｇ  ｃｅｌｌ  ｏｎｌｙ  ｅｖｅｎｔ」にリンクしており、測定対象周波数は周波数Ｆ２である。測定ＩＤ＃７は、「Ｐｒｉｍａｒｙ  Ｓｅｒｖｉｎｇ  ｃｅｌｌ  ｃｏｍｐａｒｉｓｏｎ  ｅｖｅｎｔ」にリンクしており、測定対象周波数は周波数Ｆ３である。
【００９１】
このとき、周波数Ｆ１のＰＣＣのセルＡをソースセル、周波数Ｆ２のＳＣＣのセルＣをターゲットセルとしてハンドオーバーを行なった場合の測定設定管理方法について図５を用いて説明する。
【００９２】
移動局装置１は、図３に従い測定設定情報を管理する。図５の場合、セルＡから見たターゲットセルはセルＣであり、セルＣから見たターゲットセルはセルＡであるとして、測定設定情報の再利用を行なう。つまり、移動局装置１は、図４で周波数Ｆ１にリンクされた測定イベントに関する測定ＩＤ（測定ＩＤ＃１（図３のＮｏ１）、測定ＩＤ＃５（図３のＮｏ３））は、ターゲットである周波数Ｆ２に対して再リンクされる。同様に、図４で周波数Ｆ２にリンクされた測定イベントに関する測定ＩＤ（測定ＩＤ＃２（図３のＮｏ９）、測定ＩＤ＃３（図３のＮｏ７）、測定ＩＤ＃６（図３のＮｏ５））は、ターゲットである周波数Ｆ１と再リンクされる。なお、移動局装置１は、セルＡからセルＤへハンドオーバーする場合であっても同じ測定設定管理方法を用いることが出来る。
【００９３】
移動局装置１は、ハンドオーバー前後で変更されない周波数Ｆ３（ＮＣＣ）にリンクされた測定イベントに関する測定ＩＤ（測定ＩＤ＃４、測定ＩＤ＃７）はそのまま維持する。
【００９４】
また、周波数Ｆ１のＰＣＣのセルＡをソースセル、周波数Ｆ３のＮＣＣのセルＥをターゲットセルとしてハンドオーバーを行なった場合の測定設定管理方法について図６を用いて説明する。
【００９５】
移動局装置１は、図３に従い測定設定情報を管理する。図６の場合、セルＡから見たターゲットセルはセルＥであり、セルＥから見たターゲットセルはセルＡであるとして、測定設定情報の再利用を行なう。つまり、移動局装置１は、図４で周波数Ｆ１にリンクされた測定イベントに関する測定ＩＤ（測定ＩＤ＃１（図３のＮｏ２）、測定ＩＤ＃５（図３のＮｏ４））は、ターゲットである周波数Ｆ３に対して再リンクされる。同様に、図４で周波数Ｆ３にリンクされた測定イベントに関する測定ＩＤ（測定ＩＤ＃４（図３のＮｏ１１）、測定ＩＤ＃７（図３のＮｏ１２））は、ターゲットである周波数Ｆ１と再リンクされる。なお、移動局装置１は、セルＡからセルＦへハンドオーバーする場合であっても同じ測定設定管理方法を用いることが出来る。
【００９６】
移動局装置１は、ハンドオーバー前後で変更されない周波数Ｆ２（ＳＣＣ）にリンクされた測定イベントに関する測定ＩＤ（測定ＩＤ＃２、測定ＩＤ＃３、測定ＩＤ＃６）はそのまま維持する。
【００９７】
また、周波数Ｆ２のＳＣＣのセルＣをソースセル、周波数Ｆ３のＮＣＣのセルＥをターゲットセルとしてハンドオーバーを行なった場合の測定設定管理方法について図７を用いて説明する。
【００９８】
移動局装置１は、図３に従い測定設定情報を管理する。図７の場合、セルＣから見たターゲットセルはセルＥであり、セルＥから見たターゲットセルはセルＣであるとして、測定設定情報の再利用を行なう。つまり、移動局装置１は、図４で周波数Ｆ２にリンクされた測定イベントに関する測定ＩＤ（測定ＩＤ＃２（図３のＮｏ１０）、測定ＩＤ＃３（図３のＮｏ８）、測定ＩＤ＃６（図３のＮｏ６）のうち、測定ＩＤ＃３と測定ＩＤ＃６は再リンクせずに削除される。また、測定ＩＤ＃２は、再リンクせずに周波数Ｆ２とリンクしたままで変更しない。なお、移動局装置１は、セルＣからセルＦへハンドオーバーする場合であっても同じ測定設定管理方法を用いることが出来る。
【００９９】
図５〜６と異なり、図７の場合に測定ＩＤを交換しない理由は、セカンダリコンポーネントキャリアＳＣＣは移動局装置１に対して複数設定されることがあり、その一部のみが変更される場合を考慮すると、移動局装置１がソースとなる周波数とターゲットとなる周波数の関係を知らなければ測定ＩＤを交換することが出来ないためである。そのため、変更されないプライマリコンポーネントキャリアＰＣＣとの比較を行なう測定イベントの報告設定ＩＤは残し、それ以外の測定イベントの報告設定ＩＤを削除することが管理の面から容易である。
【０１００】
移動局装置１は、ハンドオーバー前後で変更されない周波数Ｆ１（ＰＣＣ）にリンクされた測定イベントに関する測定ＩＤ（測定ＩＤ＃１、測定ＩＤ＃５）はそのまま維持する。
【０１０１】
図５〜６に示す測定設定管理方法は、（１）ターゲットセルの周波数帯域を測定対象周波数とする測定ＩＤが設定されているか否かを判断し、（２）設定されている場合は、ソースセルの周波数帯域を測定対象周波数とする測定ＩＤを当該ターゲットセルの周波数帯域に再リンクし、（３）同時にターゲットセルの周波数帯域を測定対象周波数とする測定ＩＤを当該ソースセルの周波数帯域に再リンクする、という判断を移動局装置１が行なっていると換言することが出来る。なお、ターゲットセルの周波数帯域を測定対象周波数とする測定ＩＤが設定されていない場合は、ソースセルの周波数帯域を測定対象周波数とする測定ＩＤを削除する。
【０１０２】
また、図７に示す測定設定管理方法は、維持する測定ＩＤと削除する測定ＩＤを測定対象周波数にリンクされた測定イベントに基づき決定する、という判断を移動局装置１が行なっていると換言することが出来る。このような単純な判断を加えるだけで、移動局装置１は、キャリア・アグリゲーションによって異なる種別の複数のセルを介して基地局装置２と接続しており、各セルに対して異なる測定設定情報が設定されている場合であっても、ハンドオーバー時において可能な限り設定済みの測定設定情報を再利用することが出来るようになるという利点がある。
【０１０３】
上述した測定設定管理方法は、移動局装置１と基地局装置２とでハンドオーバー時に実施されるため、基地局装置２は移動局装置１の測定設定情報について正確に把握することが出来る。そのため、基地局装置２はハンドオーバー後、必要に応じて移動局装置１の測定設定情報を更新してもよい。
【０１０４】
このように、第１の実施形態では、移動局装置１は、基地局装置２から異なる周波数帯域のコンポーネントキャリアを移動するハンドオーバーが指示された場合において、ハンドオーバー前のプライマリコンポーネントキャリアに設定された測定設定情報を、ハンドオーバー後のプライマリコンポーネントキャリアに対しても再利用できるような測定設定管理を行なう。また、移動局装置１は、ハンドオーバー前のセカンダリコンポーネントキャリアに設定された測定設定情報を、ターゲットとなる周波数帯域に応じて削除または維持するような測定設定管理を行なう。基地局装置２は、移動局装置１と同様の測定設定管理を行なうことで、移動局装置１の測定設定情報を正しく把握する。そして、必要であれば移動局装置１に対して測定設定情報の更新を行なう。
【０１０５】
以上のように、移動局装置１は、キャリア・アグリゲーションによって複数のコンポーネントキャリアが設定されており、各コンポーネントキャリアに対して測定設定情報が設定されている場合に、ハンドオーバーによってコンポーネントキャリアの構成が変更される場合であっても、簡易な判断を加えるだけで、測定設定情報を可能な限り再利用することが出来る。そのため、移動局装置１は、ハンドオーバー後に再度測定設定情報を受信して再設定する必要がなく、処理が簡略化される。また、基地局装置２は、ハンドオーバー後に再度測定設定情報を移動局装置に対して送信する必要がなくなるため、無線リソースの消費量が削減される。
【０１０６】
＜第２の実施形態＞
本発明の第２の実施形態について以下に説明する。第１の実施形態は、ＳＣＣのセル（セカンダリサービングセル）を変更するときに、当該ＳＣＣに設定されていた測定設定情報を削除、または維持する判断を行なう必要があった。そこで、本発明の第２の実施形態は、ハンドオーバー時に、測定設定情報の交換が可能であることを示す識別子を用いることにより、ハンドオーバー時に測定設定情報を再利用可能な測定設定管理方法を提供する。
【０１０７】
本実施形態の基地局装置２は、移動局装置１に対してハンドオーバーを指示する場合に、ハンドオーバー後に測定設定情報の再利用が可能な周波数帯域に対し、再利用させる測定設定情報が設定された周波数帯域を示す識別子を通知する。識別子は、例えばハンドオーバー前に移動局装置１に通知されていた測定ＩＤ、測定対象周波数ＩＤ、セルＩＤ、コンポーネントキャリアに対して割り振られるＣＣ−ＩＤ（ＣｏｍｐｏｒｎｅｎｔＣａｒｒｉｅｒ−ＩＤ、コンポーネントキャリア識別子）を利用することが出来る。
【０１０８】
図８は、本実施形態におけるハンドオーバー前の測定設定情報をハンドオーバー後に交換して再利用する場合の測定設定管理方法について示した図である。図８は、前述した図３と異なる部分のみを抜粋した図であり、Ｎｏ１〜４及びＮｏ１１〜１２の場合の測定設定管理方法は、図３に従うことに注意する。
【０１０９】
周波数Ｆ２のＳＣＣのセルＣをソースセル、周波数Ｆ３のＮＣＣのセルＥをターゲットセルとしてハンドオーバーを行なった場合の測定設定管理方法の方法について図９を用いて説明する。このとき、基地局装置２は、移動局装置１に対して、周波数Ｆ３のＮＣＣのセルＥへのハンドオーバーを指示する際に、周波数Ｆ２のＳＣＣのセルＣで使用されていた識別子のいずれかをハンドオーバー指示メッセージに含めて通知する。なお、移動局装置１は、基地局装置２が識別子を含めずにハンドオーバーを指示した場合、図３と同様の測定設定管理方法を行なう。すなわち、測定設定情報の交換が可能であることを示す識別子が含まれたハンドオーバー指示メッセージを受信した移動局装置１は、Ｎｏ８およびＮｏ１０の関係にある測定設定情報については「ｓｗａｐ」を行い、測定設定情報の交換が可能であることを示す識別子を受信しなかった場合は、Ｎｏ８およびＮｏ１０の関係にある測定設定情報についてはそれぞれ「ｄｅｌｅｔｅ」及び「ｒｅｍａｉｎ」を行なう。
【０１１０】
また、移動局装置１は、基地局装置２が当該識別子を含めずにハンドオーバーを指示した場合、図８と同様の測定設定管理方法を行ない、基地局装置２が当該識別子を含めてハンドオーバーを指示した場合、図３と同様の測定設定管理方法を行なうようにしても良い。
【０１１１】
移動局装置１は、図８に従い測定設定情報を管理する。図９の場合、セルＣから見たターゲットセルはセルＥであり、セルＥから見たターゲットセルはセルＣであるとして、測定設定情報の再利用を行なう。つまり、移動局装置１は、図４で周波数Ｆ２にリンクされた測定イベントに関する測定ＩＤ（測定ＩＤ＃２（図８のＮｏ１０）、測定ＩＤ＃３（図８のＮｏ８）、測定ＩＤ＃６（図８のＮｏ６）のうち、測定ＩＤ＃６は再リンクせずに削除される。また、測定ＩＤ＃２と測定ＩＤ＃３は、ターゲットである周波数Ｆ３に対して再リンクされる。同様に、図４で周波数Ｆ３にリンクされた測定イベントに関する測定ＩＤ（測定ＩＤ＃４（図３のＮｏ１１）、測定ＩＤ＃７（図３のＮｏ１２））は、ターゲットである周波数Ｆ２と再リンクされる。なお、移動局装置１は、セルＣからセルＦへハンドオーバーする場合であっても同じ測定設定管理方法を用いることが出来る。
【０１１２】
移動局装置１は、ハンドオーバー前後で変更されない周波数Ｆ１（ＰＣＣ）にリンクされた測定イベントに関する測定ＩＤ（測定ＩＤ＃１、測定ＩＤ＃５）はそのまま維持する。
【０１１３】
なお、ハンドオーバー指示メッセージに含まれる識別子は、移動局装置１に対し、図８に示した変更可能な項目毎（つまり、Ｎｏ８及びＮｏ１０）に「Ａｃｔｉｏｎ」を変更できるように構成されても良く、変更可能な項目について一括して「Ａｃｔｉｏｎ」を変更できるように構成されても良い。
【０１１４】
図９に示す測定設定管理方法は、（１）ソースセルの周波数帯域を示す識別子がハンドオーバー指示メッセージに設定されているか否かを判断し、（２）設定されている場合は、ソースセルの周波数帯域を測定対象周波数とする測定ＩＤをターゲットセルの周波数帯域に再リンクし、（３）同時にターゲットセルの周波数帯域を測定対象周波数とする測定ＩＤを当該ソースセルの周波数帯域に再リンクする、という判断を移動局装置１が行なっていると換言することが出来る。なお、ターゲットセルの周波数帯域を測定対象周波数とする測定ＩＤが設定されていない場合は、ソースセルの周波数帯域を測定対象周波数とする測定ＩＤを削除する。
【０１１５】
第１の実施形態の判断に加え、ハンドオーバー指示メッセージにリンク先を示す識別子を加えるだけで、移動局装置１は、キャリア・アグリゲーションによって異なる種別の複数のセルを介して基地局装置２と接続しており、各セルに対して異なる測定設定情報が設定されている場合であっても、ハンドオーバー時において可能な限り設定済みの測定設定情報を再利用することが出来るようになるという利点がある。
【０１１６】
上述した測定設定管理方法は、移動局装置１と基地局装置２とでハンドオーバー時に実施されるため、基地局装置２は移動局装置１の測定設定情報について正確に把握することが出来る。そのため、基地局装置２はハンドオーバー後、必要に応じて移動局装置１の測定設定情報を更新してもよい。
【０１１７】
このように、第２の実施形態では、移動局装置１は、ハンドオーバー前のセカンダリコンポーネントキャリアに設定された測定設定情報を、ハンドオーバー指示メッセージに含まれるソースセルの周波数帯域を示す識別子の有無に応じて、ハンドオーバー後のセカンダリコンポーネントキャリアに対しても再利用できるような測定設定管理、または削除または維持するような測定設定管理を行なう。基地局装置２は、移動局装置１に対してセカンダリコンポーネントキャリアに設定された測定設定情報を再利用するか否かの判断に用いる識別子をハンドオーバー指示メッセージに含めて送信する。また、基地局装置２は、移動局装置１と同様の測定設定管理を行なうことで、移動局装置１の測定設定情報を正しく把握する。そして、必要であれば移動局装置１に対して測定設定情報の更新を行なう。
【０１１８】
以上のように、移動局装置１は、キャリア・アグリゲーションによって複数のコンポーネントキャリアが設定されており、各コンポーネントキャリアに対して測定設定情報が設定されている場合に、ハンドオーバーによってコンポーネントキャリアの構成が変更される場合であっても、ソースセルの周波数帯域を示す識別子を確認するだけで、測定設定情報を可能な限り再利用することが出来る。そのため、移動局装置１は、ハンドオーバー後に再度測定設定情報を受信して再設定する必要がなく、処理が簡略化される。また、基地局装置２は、ハンドオーバー後に再度測定設定情報を移動局装置に対して送信する必要がなくなるため、無線リソースの消費量が削減される。
【０１１９】
＜第３の実施形態＞
本発明の第３の実施形態について以下に説明する。第１の実施形態では、ソースセルの種別がＮＣＣとなったときに、ターゲットセルの測定設定情報が再利用可能であるかどうかを判断する必要があった。本実施形態では、ハンドオーバー時に、ターゲットセルの測定設定情報をソースセルの周波数帯域に対して交換不可能であることを示す識別子を用いることにより、ハンドオーバー時に測定設定情報を再利用可能な測定設定管理方法を提供する。
【０１２０】
本実施形態の基地局装置２は、移動局装置１に対してハンドオーバーを指示する場合に、ハンドオーバー後に測定設定情報の再利用が可能な周波数帯域に対し、再利用させない測定設定情報が設定された周波数帯域を示す識別子を通知する。識別子は、例えばハンドオーバー前に移動局装置１に通知されていた測定ＩＤ、測定対象周波数ＩＤ、セルＩＤ、コンポーネントキャリアに対して割り振られるＣＣ−ＩＤ（ＣｏｍｐｏｒｎｅｎｔＣａｒｒｉｅｒ−ＩＤ、コンポーネントキャリア識別子）を利用することが出来る。
【０１２１】
図１０は、本実施形態におけるハンドオーバー前の測定設定情報をハンドオーバー後に交換して再利用する場合の測定設定管理方法について示した図である。図１０は、前述した図３と異なる部分のみを抜粋した図であり、Ｎｏ１〜４及びＮｏ１１〜１２の場合の測定設定管理方法は、図３に従うことに注意する。
【０１２２】
周波数Ｆ１のＰＣＣのセルＡをソースセル、周波数Ｆ２のＳＣＣのセルＣをターゲットセルとしてハンドオーバーを行なった場合の測定設定管理方法の別の方法について図１１を用いて説明する。このとき、基地局装置２は、移動局装置１に対して、周波数Ｆ２のＳＣＣのセルＣへのハンドオーバーを指示する際に、周波数Ｆ１のＰＣＣのセルＡで使用されていた識別子のいずれかをハンドオーバー指示メッセージに含めて通知する。なお、移動局装置１は、基地局装置２が当該識別子を含めずにハンドオーバーを指示した場合、図３と同様の測定設定管理方法を行なう。すなわち、測定設定情報の交換が不可能であることを示す識別子が含まれたハンドオーバー指示メッセージを受信した移動局装置１は、Ｎｏ５、Ｎｏ７、Ｎｏ９の関係にある測定設定情報については「ｄｅｌｅｔｅ」を行い、測定設定情報の交換が不可能であることを示す識別子を受信しなかった場合は、Ｎｏ５、Ｎｏ７、Ｎｏ９の関係にある測定設定情報については「ｓｗａｐ」を行なう。
【０１２３】
また、移動局装置１は、基地局装置２が当該識別子を含めずにハンドオーバーを指示した場合、図１０と同様の測定設定管理方法を行ない、基地局装置２が当該識別子を含めてハンドオーバーを指示した場合、図３と同様の測定設定管理方法を行なうようにしても良い。
【０１２４】
移動局装置１は、図１０に従い測定設定情報を管理する。図１１の場合、セルＡから見たターゲットセルはセルＣであり、セルＣから見たターゲットセルはセルＡであるとして、測定設定情報の再利用を行なう。つまり、移動局装置１は、図４で周波数Ｆ１にリンクされた測定イベントに関する測定ＩＤ（測定ＩＤ＃１（図３のＮｏ２）、測定ＩＤ＃５（図３のＮｏ４））は、ターゲットである周波数Ｆ２に対して再リンクされる。一方、図４で周波数Ｆ２にリンクされた測定イベントに関する測定ＩＤ（測定ＩＤ＃２（図８のＮｏ１０）、測定ＩＤ＃３（図８のＮｏ８）、測定ＩＤ＃６（図８のＮｏ６））は削除される。なお、移動局装置１は、セルＣからセルＦへハンドオーバーする場合であっても同じ測定設定管理方法を用いることが出来る。
【０１２５】
移動局装置１は、ハンドオーバー前後で変更されない周波数Ｆ３（ＮＣＣ）にリンクされた測定イベントに関する測定ＩＤ（測定ＩＤ＃４、測定ＩＤ＃７）はそのまま維持する。
【０１２６】
なお、ハンドオーバー指示メッセージに含まれる識別子は、移動局装置１に対し、図１１に示した変更可能な項目毎（つまり、Ｎｏ５、Ｎｏ７、Ｎｏ９）に「Ａｃｔｉｏｎ」を変更できるように構成されても良く、変更可能な全ての項目について一括して「Ａｃｔｉｏｎ」を変更できるように構成されても良い。
【０１２７】
図１１に示す測定設定管理方法は、（１）ソースセルの周波数帯域を示す識別子が設定されているか否かを判断し、（２）設定されている場合は、ソースセルの周波数帯域を測定対象周波数とする測定ＩＤをターゲットセルの周波数帯域に再リンクし、（３）同時にターゲットセルの周波数帯域を測定対象周波数とする測定ＩＤを削除する、という判断を移動局装置１が行なっていると換言することが出来る。なお、ターゲットセルの周波数帯域を測定対象周波数とする測定ＩＤが設定されていない場合は、ソースセルの周波数帯域を測定対象周波数とする測定ＩＤを削除する。
【０１２８】
第１の実施形態の判断に加え、ハンドオーバー指示メッセージにリンク先を示す識別子を加えるだけで、移動局装置１は、キャリア・アグリゲーションによって異なる種別の複数のセルを介して基地局装置２と接続しており、各セルに対して異なる測定設定情報が設定されている場合であっても、ハンドオーバー後のソースセルの種別に関係なく基地局装置２の指示に基づき測定設定情報を削除または交換するだけでよいため、測定設定情報の管理が管理になるという利点がある。
【０１２９】
上述した測定設定管理方法は、移動局装置１と基地局装置２とでハンドオーバー時に実施されるため、基地局装置２は移動局装置１の測定設定情報について正確に把握することが出来る。そのため、基地局装置２はハンドオーバー後、必要に応じて移動局装置１の測定設定情報を更新してもよい。
【０１３０】
このように、第３の実施形態では、移動局装置１は、ハンドオーバー前のターゲットセルのコンポーネントキャリアに設定された測定設定情報を、ハンドオーバー指示メッセージに含まれるソースセルの周波数帯域を示す識別子の有無に応じて、ハンドオーバー後のソースセルのコンポーネントキャリアに対しても再利用できるような測定設定管理、または削除するような測定設定管理を行なう。基地局装置２は、移動局装置１に対してターゲットセルのコンポーネントキャリアに設定された測定設定情報を再利用するか否かの判断に用いる識別子をハンドオーバー指示メッセージに含めて送信する。また、基地局装置２は、移動局装置１と同様の測定設定管理を行なうことで、移動局装置１の測定設定情報を正しく把握する。そして、必要であれば移動局装置１に対して測定設定情報の更新を行なう。
【０１３１】
以上のように、移動局装置１は、キャリア・アグリゲーションによって複数のコンポーネントキャリアが設定されており、各コンポーネントキャリアに対して測定設定情報が設定されている場合に、ハンドオーバーによってコンポーネントキャリアの構成が変更される場合であっても、ソースセルの周波数帯域を示す識別子を確認するだけで、測定設定情報を再利用可能であるかどうかを判断することが出来るため、処理が簡略化される。
【０１３２】
また、第２の実施形態で示した測定設定情報の交換が可能であることを示す識別子と第３の実施形態で示した測定設定情報の交換が不可能であることを示す識別子は、ハンドオーバー指示メッセージに同時に含めて送信することも出来る。
【０１３３】
なお、以上説明した実施形態は単なる例示に過ぎず、様々な変形例、置換例を用いて実現することができる。
【０１３４】
また、説明の便宜上、各実施形態の移動局装置１及び基地局装置２を機能的なブロック図を用いて説明したが、移動局装置１及び基地局装置２の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。
【０１３５】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１３６】
また、上記各実施形態に用いた移動局装置１および基地局装置２の各機能ブロック、または諸特徴は、典型的にはＩＣ（集積回路）であるＬＳＩを含む回路内で構成されてもよい。その場合、ＬＳＩの集積密度はどのような密度で実現されていても良い。各機能ブロックおよび諸特徴は個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１３７】
以上、本発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【０１３８】
１…移動局装置
２…基地局装置
１１〜１３…送信装置
２１〜２３…受信装置
１０１、２０１…受信部
１０２、２０２…復調部
１０３、２０３…復号部
１０４…測定処理部
１０５、２０４…制御部
１０６…ランダムアクセス処理部
１０７、２０５…符号部
１０８、２０６…変調部
１０９、２０７…送信部
１１０、２１０…上位レイヤ
２０８…ネットワーク信号処理部
２０９…周辺情報管理部
【図１】
2012004767.tif 000003
【図２】
2012004767.tif 000004
【図３】
2012004767.tif 000005
【図４】
2012004767.tif 000006
【図５】
2012004767.tif 000007
【図６】
2012004767.tif 000008
【図７】
2012004767.tif 000009
【図８】
2012004767.tif 000010
【図９】
2012004767.tif 000011
【図１０】
2012004767.tif 000012
【図１１】
2012004767.tif 000013
【図１２】
2012004767.tif 000014
【図１３】
2012004767.tif 000015
【図１４】
2012004767.tif 000016
【図１５】
2012004767.tif 000017